(57)【要約】【課題】  安定した状態で被切断物を連続して切断できる鋏を提供する。【解決手段】  刃体１,２の回動により形成される回動面15に対して一方の刃体１の刃縁13とその反対側に配置される背縁14との方向を同じ向きに設け、回動面15に対して他方の刃体２における刃縁18とその反対側に配置される背縁19との方向を交差する向きに設ける。刃縁18と背縁19間の延長部４側の面をほぼ平に形成したことにより、他方の刃体２が平らな面状となって被切断物を平面的に載置した状態で、一方の刃体１が動刃となって切断できるので、被切断物を安定した状態に保って切断を行うことができる。他方の鋏本体８の延長部４の外側面４ｃを回動面15より一方へ偏るように設けたことにより、被切断物の切れ目が延長部４の外側面４ｃの脇を通り抜けることができるので、スムースに切断を行うことができる。【選択図】図１
2005052246.tif 000002
【特許請求の範囲】
【請求項１】
それぞれ刃体の基端側に延長部を介して把持部が設けられた一対の鋏本体を前記延長部で交差させ、その交差部に開閉中心軸を設けて前記把持部を開閉して前記一対の鋏本体を相対的に回動することにより前記一対の刃体のそれぞれの刃縁により切断作用をなす鋏において、前記刃体の回動により形成される回動面に対して一方の前記刃体の刃縁とその反対側に配置される背縁との方向を同じ向きに設け、前記回動面に対して他方の前記刃体における刃縁とその反対側に配置される背縁との方向を交差する向きに設けると共に、該刃縁と背縁間の前記延長部側の面をほぼ平に形成し、前記他方の鋏本体における前記延長部の外側面を前記回動面より一方へ偏るように設けたことを特徴とする鋏。
【請求項２】
前記回動面に対して前記他方の刃体の表面における刃縁と背縁との方向をほぼ直交する向きに設け、前記他方の鋏本体における刃縁を前記回動面と同一面状の平面に設けたことを特徴とする請求項１記載の鋏。
【請求項３】
前記一方の鋏本体の刃体の後方斜めに延長部は設けられると共に、前記他方の鋏本体の刃体の後方斜めに延長部は設けられることを特徴とする請求項１又は２記載の鋏。
【請求項４】
前記一方の鋏本体における刃体の刃縁の尖端より刃元にかけて円弧状に形成されていることを特徴とする請求項１〜３のいずれか１項に記載の鋏。
【請求項５】
前記開閉中心軸における前記一対の鋏本体の間にスプリングワッシャーが介在していることを特徴とする請求項１〜４のいずれか１項に記載の鋏。
【請求項６】
前記一対の鋏本体における把持部間に該把持部を開方向に付勢する弾性体を介在することを特徴とする請求項１〜５のいずれか１項に記載の鋏。
【請求項７】
前記把持部は把持カバーに挿着され、前記把持カバーには基端に開口部を設けた挿入孔が形成され、該挿入孔に挿入された前記把持部に前記弾性体が着脱自在に接続すると共に、該弾性体を前記把持カバーに抜け止め可能に係止することを特徴とする請求項６記載の鋏。
【請求項８】
前記一方及び他方の鋏本体のいずれか一方の鋏本体にいずれか他方の鋏本体に係止可能なストッパーを設けたことを特徴とする請求項１〜７のいずれか１項に記載の鋏。
【請求項９】
前記一方の鋏本体における刃体の背部に凹部を形成すると共に、前記凹部における奥側の前記刃縁方向の幅を該凹部の開口部の開口幅よりも次第に大きく形成し、かつ前記開口部における刃縁に沿った一側角部を鈍角に形成すると共に、前記開口部における刃縁に沿った他側角部を鋭角に形成したことを特徴とする請求項１〜８のいずれか１項に記載の鋏。
【発明の詳細な説明】
【技術分野】
【０００１】
本発明は、一対の鋏本体を回動自在に交差させた鋏に関するものである。
【背景技術】
【０００２】
従来この種のものとして、一対の鋏本体を回転中心軸を介して回動自在に設け、鋏の一方の刃の外側に取り付けた板の上方に伸びる部分を刃のせん断部の位置で直角に折り曲げて封書の支え部とした封書鋏や、鋏の一対の刃の少なくとも一方の刃に近接して、それらの摺り合せ面に直角である鋏が公知である。
【０００３】
そして、このような従来の鋏においては、一対の鋏本体を静刃側と動刃側として使用することにより、静刃上に紙や薄い板或いは食品等被切断物を載置するようにして切断することが可能である。
【０００４】
しかしながら、前記従来の鋏においては静刃一方の鋏本体上に被切断物を載置するようにして切断することが可能であるが、切り進むにしたがい回転中心軸、さらには把手部が被切断物に入り込むと、回転中心軸や把手部が邪魔になって被切断物の切り始め側を折り曲げないと切り進むことができなくなるという問題がある。
【特許文献１】特開平１−１９８５８７号公報
【特許文献２】特開平３−４１６６７号公報
【発明の開示】
【発明が解決しようとする課題】
【０００５】
解決しようとする問題点は、安定した状態で被切断物を連続して切断できるようにする点である。
【課題を解決するための手段】
【０００６】
請求項１の発明は、それぞれ刃体の基端側に延長部を介して把持部が設けられた一対の鋏本体を前記延長部で交差させ、その交差部に開閉中心軸を設けて前記把持部を開閉して前記一対の鋏本体を相対的に回動することにより前記一対の刃体のそれぞれの刃縁により切断作用をなす鋏において、前記刃体の回動により形成される回動面に対して一方の前記刃体の刃縁とその反対側に配置される背縁との方向を同じ向きに設け、前記回動面に対して他方の前記刃体における刃縁とその反対側に配置される背縁との方向を交差する向きに設けると共に、該刃縁と背縁間の前記延長部側の面をほぼ平に形成し、前記他方の鋏本体における前記延長部の外側面を前記回動面より一方へ偏るように設けたことを特徴とする鋏である。
【０００７】
請求項２の発明は、前記回動面に対して前記他方の刃体の表面における刃縁と背縁との方向をほぼ直交する向きに設け、前記他方の鋏本体における刃縁を前記回動面と同一面状の平面に設けたことを特徴とする請求項１記載の鋏である。
【０００８】
請求項３の発明は、前記一方の鋏本体の刃体の後方斜めに延長部は設けられると共に、前記他方の鋏本体の刃体の後方斜めに延長部は設けられることを特徴とする請求項１又は２記載の鋏である。
【０００９】
請求項４の発明は、前記一方の鋏本体における刃体の刃縁の尖端より刃元にかけて円弧状に形成されていることを特徴とする請求項１〜３のいずれか１項に記載の鋏である。
【００１０】
請求項５の発明は、前記開閉中心軸における前記一対の鋏本体の間にスプリングワッシャーが介在していることを特徴とする請求項１〜４のいずれか１項に記載の鋏である。
【００１１】
請求項６の発明は、前記一対の鋏本体における把持部間に該把持部を開方向に付勢する弾性体を介在することを特徴とする請求項１〜５のいずれか１項に記載の鋏である。
【００１２】
請求項７の発明は、前記把持部は把持カバーに挿着され、前記把持カバーには基端に開口部を設けた挿入孔が形成され、該挿入孔に挿入された前記把持部に前記弾性体が着脱自在に接続すると共に、該弾性体を前記把持カバーに抜け止め可能に係止することを特徴とする請求項６記載の鋏である。
【００１３】
請求項８の発明は、前記一方及び他方の鋏本体のいずれか一方の鋏本体にいずれか他方の鋏本体に係止可能なストッパーを設けたことを特徴とする請求項１〜７のいずれか１項に記載の鋏である。
【００１４】
請求項９の発明は、前記一方の鋏本体における刃体の背部に凹部を形成すると共に、前記凹部における奥側の前記刃縁方向の幅を該凹部の開口部の開口幅よりも次第に大きく形成し、かつ前記開口部における刃縁に沿った一側角部を鈍角に形成すると共に、前記開口部における刃縁に沿った他側角部を鋭角に形成したことを特徴とする請求項１〜８のいずれか１項に記載の鋏である。
【発明の効果】
【００１５】
請求項１の発明によれば、ほぼ平に形成した面に被切断物を載置した状態で、安定して切断を行うことができる。
【００１６】
請求項２の発明によれば、ほぼ平に形成した面に対してほぼ直交方向より一方の刃体を配置して確実に切断を行うことができる。
【００１７】
請求項３の発明によれば、切断された被切断物は延長部の下方を通り抜けるようにしてスムースに切断を続けることができる。
【００１８】
請求項４の発明によれば、一方の刃体の刃縁と他方の刃体の刃縁との交差角度が常時ほぼ同じようになるので、切断の始めから終りまで同じような力で切断を行うことができる。
【００１９】
請求項５の発明によれば、スプリングワッシャーを介在していることにより、一対の刃縁にがじりが生じにくくなる。
【００２０】
請求項６の発明によれば、弾性体によって把持部が自動的に開くようになるので、扱いやすくなる。
【００２１】
請求項７の発明によれば、弾性体を取り出すことで把持部と把持カバーとの係止状態を解除でき、両者を簡単に分解することができる。
【００２２】
請求項８の発明によれば、ストッパーにより一対の鋏本体を係止しておくことができる。
【００２３】
請求項９の発明によれば、切断の他に、スプレー缶などの孔開けなどにも利用することができる。
【発明を実施するための最良の形態】
【００２４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２５】
図１〜図６は第１実施例を示しており、鋏はそれぞれ刃体１,２の基端側に延長部３,４を介して把持部５，６が設けられる共に前記延長部３,４で交差させた一対の鋏本体７,８と、交差部で一対の鋏本体７,８を回動自在に軸支する開閉中心軸９と、前記把持部５，６に装着する合成樹脂製の把持カバー10,11と、前記一対の把持部５，６の間に介在しこれら把持部５，６を開くように付勢するコイルバネからなる弾性体12からなり、一対の鋏本体７,８を開閉中心軸９を中心に相対的に回動することにより前記刃体１,２により切断作用をなすようになっている。
【００２６】
そして、一方の鋏本体７は鉄系金属板を加工したもので、刃体１における刃縁13とこの刃縁13と反対側に位置する背縁14とを結ぶ方向は、前記刃体１,２の回動により仮想的に形成される回動面15に対して同じ向きに設ける。さらに前記刃体１の尖端16より刃元17にかけてはそれらの中央側が突設するように円弧状に形成されている。また、一方の鋏本体７の延長部３は、尖端16と刃元17を結ぶ方向に対して後方に向けて斜め上方に配置されている。この配置は背縁14の後部より上方に突設した第１の延長部３ａと、この第１の延長部３ａの先端に連設して斜め後方に設けられる第２の延長部３ｂとからなり、この第２の延長部３ｂ側の把持部５が把持カバー10の基端側より挿着している。そして、第１の延長部３ａは背縁14の後部より一方へ先端３ｃが偏位するように斜めに設けられる。すなわち、第１の延長部３ａの上端たる先端３ｃが回転中心軸９の図示しない軸線における一方の鋏本体７の方向に偏位しているものである。
【００２７】
さらに、他方の鋏本体８も鉄系金属板を加工したもので、刃体２における刃縁18とこの刃縁18と反対側に位置する背縁19とを結ぶ方向は、前記刃体２の回動により仮想的に形成される回動面15に対してほぼ直角の向きに交差して設けると共に、該刃縁18と背縁19間の前記延長部４側の面をほぼ平に形成して平面部２ａを形成している。さらに前記刃体２の尖端20より刃元21にかけては直線状形成されている。また、他方の鋏本体８の延長部４は、尖端20と刃元21を結ぶ方向に対して後方に向けて斜め上方に配置されている。この配置は背縁19の後部より直角段部22を介して上方に突設した第１の延長部４ａと、この第１の延長部４ａの先端に連設して斜め後方に設けられる第２の延長部４ｂとからなり、この第２の延長部４ｂ側の把持部６が把持カバー11の基端側より挿着している。そして、一方の鋏本体７の第２の延長部３ｂと他方の鋏本体８の第１の延長部４ａとが平面的に当接するように設けられると共に、延長部３ｂ,４ａ相互に、鉄系金属製の開閉中心軸９がかしめられて設けられており、図３に示した拡大図のように前記第１の延長部３ａの先端３ｃが一方へ偏位して、第２の延長部３ｂ自体も一方へ偏位することにより、他方の鋏本体８の延長部４は前記回動面15に対してわずかに一方へ偏位している。尚、図３は刃体１,２を図４などのように開いた状態の側面図であって、図３に示した拡大図においては、後述するストッパー36の軸37を省略して図示している。これは他方の鋏本体８の延長部４の外側面４ｃ、ひいては第１の延長部４ａの外側面４ｃは回動面15より回転中心軸９の軸線における一方の鋏本体７、ひいては刃体１の方向に偏位しているものであって、外側面４ｃがせつ断面を形成する回動面15を中央として刃体２より刃体１の方向に設けらているものである。尚、外側面４ｃは回動面15より回転中心軸９の軸線における一方の鋏本体７の方向に、例えば切断する品物によって異なるが0.1から20ミリメートル、好ましくは例えば0.2から10ミリメートルのようにわずかに偏位している。ｘは偏位長さを示している。また平面的に当接する一方の鋏本体７の第２の延長部３ｂと他方の鋏本体８の第１の延長部４ａとの間には鉄系金属製のスプリングワッシャー23が設けられており、このスプリングワッシャー23は、開閉中心軸９に外嵌合するようにして同軸状に設けられている。図中24は開閉中心軸９の端部に設けられたスプリングワッシャーを示している。
【００２８】
前記それぞれの把持カバー10,11の基端面には、把持部５,６の挿入用開口部31が形成されており、さらに開口部31に連設して挿入孔32が長手方向に形成されている。さらに把持部５,６の開閉方向における把持カバー10,11の内側には開口部31と連通する溝部33が形成されていると共に、その溝部33の先端には溝部33の幅より大きい幅を有する円形溝部よりなる幅大溝部34が形成されている。そして、前記開閉方向における把持部５,６の内側には突起35が形成されており、この突起35が開口部34側より溝部33を通って幅大溝部34へ挿入することができ、さらにこの突起35に弾性体12の端部は外嵌合して着脱自在に接続している。弾性体12の外径は幅大溝部34に嵌合するか、該幅大溝部34よりやや径小に形成されていると共に、溝部33の幅より大きく形成され、さらに弾性体12の内径は突起35の幅よりも大きく形成されて、突起35、ひいては把持部５,６は弾性体12に係止するようになっている。これにより弾性体12の端部が突起35に係止した状態では、把持カバー10,11は把持部５,６より抜け出ることがないようになっている。
【００２９】
また、他方の鋏本体８の第２の延長部４ｂにはストッパー36が軸37を介して回動自在に設けられており、このストッパー36が係止可能なストッパー受け部38が一方の鋏本体７の第２の延長部３ｂに設けられている。ストッパー36には第１のストッパー部36ａと第２のストッパー部36ｂが設けられており、刃体１,２を閉じて第１のストッパー部36ａがストッパー受け部38に係止することにより、刃縁13，、18相互が重なって弾性体12の付勢力に抗して鋏本体７,８相互が閉じた状態に保持される。一方、刃体１,２を開いて第２のストッパー部36ｂがストッパー受け部38に係止することにより、刃縁13，、18の刃元17,21のみが重なって弾性体12の付勢力にしたがって鋏本体相互が開いた状態に保持される。
【００３０】
次に前記構成についてその作用を説明する。第２のストッパー部36ｂがストッパー受け部38に係止した状態で把持カバー10,11にそれぞれ指を掛けて一方の鋏本体７を動刃とし、他方の鋏本体８を静刃として一対の鋏本体７,８を開閉することにより、刃縁13，、18により切断を行う。この際、例えば板状の図示しない被切断物を切断するときには、他方の鋏本体８の刃体２を被切断物の下に配置すると、被切断物は他方の鋏本体８の刃体２に載置状態となって安定した状態で切断が行われる。さらに、鋏本体７,８を開閉して切り進むと切れ目が延長部４の外側面４ｃの脇を通り抜けて通過する。これは擦りあって切断部を形成する刃縁13，、18による前記回動面15に対して他方の鋏本体８の延長部４がわずかに一方へ偏位していることに起因する。また鋏本体７,８を開閉して切り進むと切り進むと切れ目が把時部５,６の下方を通り抜けて、連続して切断が行われる。
【００３１】
尚、一対の鋏本体７,８を開閉して切断する際にあっては、刃体１の尖端16より刃元17にかけて円弧状に形成されているので、該刃体１の刃縁13と他方の鋏本体８の刃縁18とは常時ほぼ同じ交差角度を保つようになっている。
【００３２】
そして、鋏を廃棄するような場合は、まず突起35との係止状態を解除して弾性体12を幅大溝部34より抜き取り、次に把持部５,６を把持カバー10,11の挿入孔32より抜き取ることにより、鉄系金属製の鋏本体７,８、開閉中心軸９及びスプリングワッシャー23,24と、合成樹脂製の把持カバー10,11を分別して廃棄することができる。
【００３３】
以上のように、前記実施例においては前記刃体１,２の回動により形成される回動面15に対して一方の前記刃体１の刃縁13とその反対側に配置される背縁14との方向を同じ向きに設け、前記回動面15に対して他方の前記刃体２における刃縁18とその反対側に配置される背縁19との方向を交差する向きに設けると共に、該刃縁18と背縁19間の前記延長部４側の面をほぼ平に形成したことにより、他方の刃体２が平らな面状となって被切断物を平面的に載置した状態で、一方の刃体１が動刃となって切断できるので、被切断物を安定した状態に保って切断を行うことができる。さらに前記他方の鋏本体８の延長部４の外側面４ｃを前記回動面15より一方へ偏るように設けたことにより、被切断物の切れ目が延長部４の外側面４ｃの脇を通り抜けることができるので、スムースに切断を行うことができる。
【００３４】
さらに、他方の刃体２に設けられた平面部２ａは延長部４に対してほぼ直交するように設けられているので、前記平面部２ａに載置された被切断物に対して一方の刃体１をほぼ直角方向に移動することで正確な切断を行うことができる。
【００３５】
また、前記一方の鋏本体７の刃体１の後方斜めに延長部３は設けられると共に、前記他方の鋏本体８の刃体２の後方斜めに延長部４は設けられることで、切り進められた被切断物が把持部５,６の近傍に来ても被切断物は把持部５,６の下方を通り抜けるようになり、把持部５,６に邪魔されることなく切り進むことができる。
【００３６】
しかも、前記一方の鋏本体７における刃体２の尖端16より刃元17にかけて円弧状に形成されているので、一対の刃縁13,18の交差角度を常時ほぼ同じ角度とすることで、常時同じ力で切り進むことができる。
【００３７】
さらに、前記一対の鋏本体７,８の延長部３,４の間にスプリングワッシャー23を介在することで、刃縁13,18のがじりなどを確実に防止できる。
【００３８】
また、前記一対の鋏本体７,８における把持部５,６間に該把持部５,間を開方向に付勢する弾性体12を介在することにより、把持部５,６に掛けた指の力を緩めると弾性体12により把持部５,６は自動的に開き、この後把持部５,６を閉じることにより、簡単に切断を継続することができる。
【００３９】
しかも、前記把持部５,６は把持カバー10,11に挿着され、前記把持カバー10,11には基端に開口部31を設けた挿入孔32が形成され、該挿入孔32に挿入された前記把持５,６部に前記弾性体12が着脱自在に接続すると共に、該弾性体12を前記把持カバー10,11に抜け止め可能に係止することにより、鉄系金属製の鋏本体７,８、開閉中心軸９及びスプリングワッシャー23,24と、合成樹脂製の把持カバー10,11を簡単に分別して廃棄することができる。
【００４０】
さらに、前記他方の鋏本体７,８に第１及び第２のストッパー部36ａ,36ｂを設けたストッパー36を設けると共に、前記一方の鋏本体７に前記第１及び第２のストッパー部36ａ,36ｂが選択的に係止するストッパー受け部38を設けたことにより、一対の鋏本体７,８を閉じた状態に保持して保管を安全にしたり、或いは開いた状態に保持することにより一対の鋏本体を開閉操作し易くできる。
【実施例２】
【００４１】
図７及び図８は第２実施例を示しており、前記第１実施例と同一部分には同一符号を付し、その詳細な説明を省略する。第２実施例においては、把持カバー10,11を細長なリング状に形成したものであって、一方の刃体１の背縁14に例えばスプレー缶のような缶ｃの底ｂに孔を形成するための孔開け部を設けたものである。この孔開け部は、前記一方の鋏本体７における刃体１の背部13に凹部41を形成すると共に、前記凹部41における奥側の前記刃縁13方向の幅Ｗを該凹部41の開口部42の開口幅よりも次第に大きく形成し、かつ前記開口部42における刃縁13に沿った一側角部43を鈍角に形成すると共に、前記開口部42における刃縁13に沿った他側角部44を鋭角に形成したものである。
【００４２】
したがって、缶ｃの縁を凹部41に挿入すると共に一側角部43の端に縁を係止し、次に把持部５を握って一側角部43の端を回転中心として一方の鋏本体７を持ち上げると、鋭角な他側角部44が缶ｃの底ｂに突き刺さり、孔を形成することができるものである。
【００４３】
以上のように前記実施例においては、凹部41の一側角部43を鈍角に形成すると共に、他側角部44を鋭角にして孔開け部を設けることにより、切断の他に孔開け等もでき便利となる。
【産業上の利用可能性】
【００４４】
以上のように本発明にかかる鋏は、紙、鉄板や合成樹脂などの平板やパイプの切断加工の他に、例えば各種食品の加工や蟹の脚などを食するときにも適用できる。
【図面の簡単な説明】
【００４５】
【図１】本発明の第１実施例を示す正面図である。
【図２】本発明の第１実施例を示す背面図である。
【図３】本発明の第１実施例を示す一部を拡大した側面図である。
【図４】本発明の第１実施例を示す斜視図である。
【図５】本発明の第１実施例を示す分解斜視図である。
【図６】本発明の第１実施例を示す要部の断面図である。
【図７】本発明の第２実施例を示す斜視図である。
【図８】本発明の第２実施例を示す要部の拡大正面図である。
【符号の説明】
【００４６】
１,２  刃体
２ａ  平面部
４  延長部
４ｃ  外側面
７,８  鋏本体
10,11  把持カバー
12  弾性体
13  刃縁
14  背縁
15  回動面
16  尖端
17  刃元
18  刃縁
19  背縁
28  スプリングワッシャー
36  ストッパー
41  凹部
42  開口部
43  一側角部
44  他側角部
Ｗ  幅
【図１】
2005052246.tif 000003
【図２】
2005052246.tif 000004
【図３】
2005052246.tif 000005
【図４】
2005052246.tif 000006
【図５】
2005052246.tif 000007
【図６】
2005052246.tif 000008
【図７】
2005052246.tif 000009
【図８】
2005052246.tif 000010